(57)【要約】      （修正有）【課題】電子機器の後部に接続した多数のケーブル類にストレスを与えることなく電子機器を出し入れする事を可能とし、更には電子機器を電子機器載置部に載置したままで移動可能とする机を提供する。【解決手段】機器戴置部１を、戴置台を形成していない他方の面の、上部側方及び下部側方に設けた出納自在のシャフトを有する係止具の其々のシャフトを押納した状態で、机２の下部空間へ移動し、右側板２Ａ、又は、左側板に設けた上部支持部材のホールド孔２ｂに、機器載置部１の上部側方に設けた係止具１ｈに押納したシャフトの押納を解除し貫入せしめ、同様に、下部側方に設けた係止具にシャフト貫入をせしめ、机２に機器載置部１を各シャフトを軸として回転自在に連結する。載置台に電子機器を載置し、電子機器に装着した転送ケーブルを上部支持部材の上部に面する下板に穿孔した導入孔へ挿通する。【選択図】  図１
2006223500.tif 000002
【特許請求の範囲】
【請求項１】
断面が凹状で、凹部の溝に長孔を設けた２本の腕木を側方に向かって凹部を向かい合わせに平行に支持台に突設する。突設した腕木が水平平行に側方に向かうように支持台を側板の下部に取り付ける。断面が凸状で、凸部に固定ナットを設けた２本の腕木を側方に向かって凸部の裏面を向かい合わせに平行に延長台に突設する。側板に取り付けた支持台の腕木の凹部に、延長台に設けた腕木の凸部を陥入させ、延長台と支持台を摺動可能に連結して、凸状の腕木に設けた固定ナットに、凹状の腕木に設けた長孔を挿通するボルトを螺着して載置台を形成し、その下方の前部と後部にキャスターを設ける。更に、側板の載置台を形成していない他方の面の、手前側の縁の上部側面に、出納自在のシャフトを有する係止具を、其のストロークが上方に向かって垂直に出納可能となるように設ける。又、同面の下部側面に、出納自在のシャフトを有する係止具を、其のストロークが下方に向かって垂直に出納可能となるように設け、機器載置部を形成する。机の下部空間において右側板、又は左側板のいずれか、又は右側板および左側板の両方の上部に、機器載置部の上部側面に設けた係止具のシャフトが貫入可能なホールド孔を有する上部支持部材を設け、上部支持部材の上部に面する下板に、ケーブル類を机の内部に導く為の導入孔を穿孔する。更に、右側板、又は左側板のいずれか、又は右側板および左側板の両方の下部に、機器載置部の下部側面に設けた係止具のシャフトが貫入可能なホールド孔を有する下部支持部材を設ける事を特徴とする机。
【請求項２】
机の下部空間において、機器載置部の上下に設けた係止具のシャフトが机の側板に設けた支持部材に貫入した状態で、載置台に載置した電子機器の後部に装着した転送ケーブルのプラグ後端が、貫入部を回転軸として机の側板と平行の位置から略90度回転させて描く円弧の軌跡上で、略中間点の真上にあたる位置の下板に転送ケーブル類が挿通する長孔を設ける事を特徴とする請求項1に記載の机。
【請求項３】
下板の上部に収納スペースを設け、更に、天板の上に載置するディスプレイ等の機器に干渉しない適当な位置に挿通孔を設ける。更に、収納スペースの後面及び左右に挿通孔を設けた事を特徴とする請求項1に記載の机。
【請求項４】
机本体の上部の手前に開口部を残して天板を設ける。机本体の開口部の右側板及び左側板の内面にスライドレール本体を取り付け、移動天板の裏面の左右にスライドレール可動部を設け、机本体に取り付けたスライドレール本体と、移動天板に設けたスライドレール可動部を摺動自在に連結し、移動天板を前後に開閉自在に取り付ける事を特徴とする請求項１に記載の机。
【発明の詳細な説明】
【技術分野】
【０００１】
本発明は、主にパーソナルコンピューター等の電子機器を搭載して使用する為の机、電子機器載置台に関するもので、机の天板上の空間を有効に利用するために、天板の下部空間に電子機器の本体を搭載した機器載置部を収納し、しかも、電子機器の後部に接続した多数のケーブル類にストレスを与えることなく、電子機器を出し入れする事を可能とした机に関する。
【背景技術】
【０００２】
従来の電子機器の使用形態として、机の上に載置されていたが、机の上の空間を最大限に利用したいので余分な物は置きたくない、との使用者の欲求から、機器を机の下に設置される方法がとられるようになってきた。
【０００３】
それらの問題を解決する為の手段として、デスク下部空間に載置されるベース上に軸部を立設し、ＯＡ機器載置台の一端下部に垂設した脚を軸部に回動可能に嵌挿し、載置台の他端下部に床面に接するキャスターを設け、載置台上に載置したＯＡ機器本体をデスクの奥行方向及び幅方向のそれぞれに前記軸部を中心として旋回格納可能とする技術を施したものがある。（特許文献1参照。）
【０００４】
以下、図1により従来の、電子機器を机の下部空間に置いて使用する技術について説明する。
デスク５下面に載置されるベース上に軸部を立設し、ＯＡ機器載置台７の一端下部に垂設した脚７ｂを軸部に回動可能に嵌挿し、載置台７の他端下部に床面に接するキャスタ７ａを設け、載置台７上に載置したＯＡ機器本体をデスク５の奥行方向及び幅方向のそれぞれに前記軸部を中心として旋回格納可能とする。
【特許文献１】特開平１２−３５８３３号公報（第１頁解決手段参照、図1）
【発明の開示】
【発明が解決しようとする課題】
【０００５】
しかし、前述の如く電子機器を机の下に設置して使用する場合、または、ＯＡ機器載置台を机の下に設置しその上に電子機器等を載置して使用した場合、新たな弊害が発生する。即ち、それらを通常使用している状態では何等問題はないが、様々の理由によりひとたび電子機器に手をかけなければならなくなった場合、例えば、何らかのトラブルにより電子機器のケースカバーを取り外してのメンテナンスや、必要に応じてのシステム増設などの作業を行う場合、等である。
【０００６】
電子機器は机の下に設置されているので、そのままの状態では、ケースカバーを取り外す事が通常は困難であり、更に、ケースカバーを取り外すのに必要な空間を電子機器の周囲に確保する為に机の下より手前に引き出そうとすると、その背部に配置、接続されている電源コードを始め各種の転送ケーブル類が絡んで電子機器の移動を阻害する可能性が発生する。更に、無理に引き出そうとするとケーブル類にストレスが加わり最悪の場合断線事故にもなりかねないのでケーブル類を抜き取った後に電子機器を引き出さなければならない場合もあるので大変不便である。
【０００７】
本発明は、以上のような問題を解決する為になされたもので、机の下部空間に電子機器を搭載した電子機器載置部を収納し、電子機器の後部に接続した多数のケーブル類を整理し、更に、ケーブル類にストレスを与えることなく、容易に電子機器のメンテナンスを行うことを可能とし、更に、電子機器の移設をも容易にせしめる机に関する。
【課題を解決するための手段】
【０００８】
断面が凹状で凹部の溝に長孔を設けた２本の腕木を側方に向かって凹部を向かい合わせに平行に支持台に突設する。突設した腕木が水平平行に側方に向かうように支持台を側板の下部に取り付ける。断面が凸状で凸部に固定ナットを設けた２本の腕木を側方に向かって凸部の裏面を向かい合わせに平行に延長台に突設する。側板に取り付けた支持台の腕木の凹部に延長台に設けた腕木の凸部を陥入させ、延長台と支持台を摺動可能に連結して、凸状の腕木に設けた固定ナットに、凹状の腕木に設けた長孔を挿通するボルトを螺着して載置台を形成し、その下方の前部と後部にキャスターを設ける。更に、側板の載置台を形成していない他方の面の、手前側の縁の上部側面に、出納自在のシャフトを有する係止具を、其のストロークが上方に向かって垂直に出納可能となるように設ける。又、同面の下部側面に、出納自在のシャフトを有する係止具を、其のストロークが下方に向かって垂直に出納可能となるように設け、機器載置部を形成する。机の下部空間において右側板、又は左側板のいずれか、又は右側板および左側板の両方の上部に、機器載置部の上部側面に設けた係止具のシャフトが貫入可能なホールド孔を有する上部支持部材を設け、上部支持部材の上部に面する下板に、ケーブル類を机の内部に導く為の導入孔を穿孔する。更に、右側板、又は左側板のいずれか、又は右側板および左側板の両方の下部に、機器載置部の下部側面に設けた係止具のシャフトが貫入可能なホールド孔を有する下部支持部材を設ける事を特徴とする。
【０００９】
更に、机の下部空間において、機器載置部の上下に設けた係止具のシャフトが机の側板に設けた支持部材に貫入した状態で、機器載置台に載置した電子機器の後部に装着した転送ケーブルの後端が、挿通部を回転軸として机の側板と平行の位置から略90度回転させて描く円弧の軌跡上で、略中間点の真上にあたる位置の下板に転送ケーブル類が挿通する長孔を設ける事を特徴とする。
【００１０】
更に、下板の上部に収納スペースを設け、更に、天板の上に載置するディスプレイ等の機器に干渉しない適当な位置に挿通孔を設ける。更に、収納スペースの後面及び左右に挿通孔を設けた事を特徴とする。
【００１１】
更に、机本体の上部の手前に開口部を残して天板を設ける。机本体の開口部の右側板及び左側板の内面にスライドレール本体を取り付け、移動天板の裏面の左右にスライドレール可動部を設け、机本体に取り付けたスライドレール本体と、移動天板に設けたスライドレール可動部を摺動自在に連結し、移動天板を前後に開閉自在に取り付ける事を特徴とする。
【発明の効果】
【００１２】
本発明は以上に説明したように構成した結果、以下に示すような効果が得られる。
【００１３】
請求項１によれば、側板に取り付けた支持台に突設した2本の凹状の腕木に、延長台に突設した2本の凸状の腕木を陥入せしめ、摺動自在に連結し、更に、延長台を任意の位置で固定する為に凹部に設けた長孔を挿通して凸部に設けた固定ナットにボルトを螺着する。
即ち、支持台と延長台の間隔を任意の位置で固定できる為、載置台に載置する電子機器に応じて調節が可能である。更に、機器戴置部を、戴置台を形成していない他方の面の上部側面及び下部側面に設けた出納自在のシャフトを有する係止具の其々のシャフトを押納した状態で、机の下部空間へ移動し、右側板、又は、左側板に設けた上部支持部材のホールド孔に、機器載置部の上部側面に設けた係止具に押納したシャフトの押納を解除し貫入せしめ、更に、下部支持部材のホールド孔に、機器載置部の下部側面に設けた係止具に押納したシャフトの押納を解除し貫入せしめ、机に機器載置部を各シャフトを軸として回転自在に連結する。載置台に電子機器を載置し、電子機器に装着した転送ケーブルを上部支持部材の上部に面する下板に穿孔した導入孔へ挿通するので、余分なケーブル類が足元に散乱して引き起こされる様々の事故、例えば、躓き、転倒、踏みつけ、断線等を未然に防ぐことが可能である。
【００１４】
これにより、通常は、機器載置部を机の下部空間に収納して使用するが、ひとたび問題等が発生した場合は、機器載置部を旋回移動し、机の下部空間より露出して、電子機器への作業等を行うのであるが、この際、転送ケーブル類は回転軸に近接して機器載置部より机内部へと導入されている為転送ケーブル類にかかるストレスは極めて少ない。
【００１５】
又、必要により機器載置部を移動する場合では、機器載置部の側面の上下に設けた係止具のシャフトを押納して机との連結を解除すれば、載置台の下方に設けたキャスターにより移動自在になる。
【００１６】
又、請求項２によれば、机の下部空間において、機器載置部の上下に設けた係止具のシャフトが机の側板に設けた支持部材に貫入した状態で、載置台に載置した電子機器の後部に装着した転送ケーブルのプラグ後端が、貫入部を回転軸として机の側板と平行の位置から略90度回転させて描く円弧の軌跡上で、略中間点の真上にあたる位置の下板に転送ケーブル類が挿通する長孔を設け、電子機器に装着した転送ケーブルを挿通して机内部へと至る事により、機器載置部を机の下部空間に収納した状態で転送ケーブルの長さを電子機器から長孔までの分を確保しておけば、機器載置部を外部へと回転移動せしめる場合であっても、転送ケーブルにかかるストレスは極めて少ない。即ち、電子機器に接続した転送ケーブルは、床などに這わせることもなく直接机内部へと導入されるので余分の転送ケーブルが絡まりあったり、作業中に引っ掛かったり等の様々のトラブルを減少できる。
【００１７】
又、請求項３によれば、下板の上部に収納スペースを設けることにより、下板に設けた長孔より挿通した転送ケーブルの余分を収納することが可能である。更に、天板の上に載置するディスプレイ等の機器に干渉しない適当な位置に挿通孔を設け、更に、収納スペースの後面及び左右に挿通孔を設ける事により、収納スペースに収納した転送ケーブルを各用途により所望のケーブルを使用条件に応じて引き出し外部の機器等に接続することが可能であるので机上においては、余分なケーブル類が無く、極めて良好な作業環境が実現可能である。例えば、天板の上に設けた挿通孔を通して机の上部へ引き出し、外部の機器等に接続することが可能である。又、その他のケーブル類は後面及び左右の挿通孔を通して、外部へ引き出し他の機器等に接続することが可能である。電源ケーブル等であれば、電源コンセントへ、LANケーブル等であれば他のパソコン等へと接続が可能であるので、各種ケーブル類を床上に転がすこともなく余分なケーブル類が足元に散乱して引き起こされる様々の事故、例えば、躓き、転倒、踏みつけ、断線等を未然に防ぐことが可能である。尚、収納スペースは、各種ケーブル類の収納に限定するものではなく、さらに他の小物類の収納をも可能とする事は、ここで述べるまでもないことである。
【００１８】
又、請求項４によれば、机本体の上部の手前に開口部を残して天板を設ける。机本体の開口部の右側板及び左側板の内面にスライドレール本体を取り付け、移動天板の裏面の左右にスライドレール可動部を設け、机本体に取り付けたスライドレール本体と、移動天板に設けたスライドレール可動部を摺動自在に連結し、移動天板を前後に開閉自在に取り付けるので、収納スペースに収納した転送ケーブルの管理を極めて容易に行うことが可能である。即ち、通常は開口部を移動天板によって塞いでその上部を作業用に使用するが、必要に応じて移動天板を移動し、開口部より内部の転送ケーブルを極めて容易に管理することが可能である。例えば、転送ケーブルの連結、或いは、ハブへの接続等の作業を収納スペース内にて行うので、床上に放置した場合の躓き等のトラブルを未然に防ぐことができる。又、天板の上にも余分の転送ケーブルは存在しないので良好な作業環境を提供する。
【発明を実施するための最良の形態】
【００１９】
本発明にかかる机の要部は図１に示すように、電子機器載置部１と、机２による構成からなる。以下、詳細を説明する。
【実施例１】
【００２０】
図１は、主に、移動方向自在に回転するキャスター１Ｂ等を取り付けた電子機器載置部１と、右側板２Ａ、と左側板２Ｂ、天板２Ｇ、下板２Ｊ及び壁板２Ｅ等によって形成される机２による構成からなる。
【００２１】
図２は、断面が凹状で凹部の溝に長孔１ａを設けた２本の腕木１Ｃを側方に向かって凹部１ｂを向かい合わせに平行に支持台１Ｄに突設する。突設した腕木が水平平行に側方に向かうように支持台１Ｄを側板１Ｅの下部に取り付ける。断面が凸状で凸部に固定ナット１ｄを設けた２本の腕木１Ｆを側方に向かって凸部１ｅの裏面を向かい合わせに平行に延長台１Ｇに突設する。側板１Ｅに取り付けた支持台１Ｄの腕木の凹部１ｂに延長台１Ｇに設けた腕木の凸部１ｅを陥入させ、延長台１Ｇと支持台１Ｄを摺動可能に連結して凸状の腕木に設けた固定ナット１ｄに、凹状の腕木に設けた長孔１ａを挿通するボルト１Ｌを螺着して載置台１Ａを形成する実施形態を示す。
【００２２】
図３は、載置台１Ａの下方の前部と後部にキャスター１Ｂを設ける実施形態を示す。のストロークが上方に向かって垂直に出納可能となるように設ける。又、同面の下部側面１Ｊに、出納自在のシャフトを有する係止具１ｈを、其のストロークが下方に向かって垂直に出納可能となるように設け、機器載置部１を形成する実施例を示す。
【００２３】
図４は、側板１Ｅの載置台１Ａを形成していない他方の面の、手前側の縁の上部側面１Ｈに、出納自在のシャフトを有する係止具１ｈを、其以下、図面を参照しながら本発明の実施形態について詳しく説明する。
【００２４】
図５は、机２の下部空間において右側板２Ａの上部に、機器載置部１の上部側面１Ｈに設けた係止具１ｈのシャフトが貫入可能なホールド孔２ｂを有する上部支持部材２Ｆを設け、上部支持部材２Ｆの上部に面する下板２Ｄに、ケーブル類を机の内部に導く為の導入孔２Ｈを穿孔したもので、更に、右側板２Ａの下部に、機器載置部１の下部側面１Ｊに設けた係止具１ｈのシャフトが貫入可能なホールド孔２ｂを有する下部支持部材２Ｊを設ける実施形態を示す。
【００２５】
図６は、机２の下部空間において、機器載置部１の上下に設けた係止具１ｈのシャフトが机２の右側板２Ａに設けた上部支持部材２Ｆ、及び下部支持部材２Ｊに貫入した状態で、載置台１Ａに載置した電子機器１Ｋの後部に装着した転送ケーブルのプラグ１ｊの後端が、貫入部を回転軸として机の側板と平行の位置から略90度回転させて描く円弧の軌跡上で、略中間点の真上にあたる位置の下板２Ｄに転送ケーブル１ｊが挿通する長孔５Ｂを設ける実施形態を示す。
【００２６】
図７は、下板２Ｄの上部に収納スペース２Ｋを設け、更に、天板２Ｇの上に載置するディスプレイ等の機器に干渉しない適当な位置に挿通孔２ｒを設ける。更に、収納スペース２Ｋの後面及び左右に挿通孔２ｒを設ける実施形態を示す。
【００２７】
図８は、机２本体の上部の手前に開口部を残して天板２Ｇを設ける。机２本体の開口部の右側板２ｄ及び左側板２ｅの内面にスライドレール本体２ａを取り付け、移動天板２Ｌの裏面の左右にスライドレール可動部２ｆを設け、机２本体に取り付けたスライドレール本体２ａと、移動天板２Ｌに設けたスライドレール可動部２ｆを摺動自在に連結し、移動天板２Ｌを、前後に開閉自在に取り付ける実施形態を示す。
【００２８】
尚、図２において、断面が凹状の腕木１Ｃを支持台１Ｄに突設し、断面が凸状の腕木１Ｆを延長台１Ｇに突設した例を示したのは本発明を説明する為のもので例えば、断面が凸状の腕木１Ｆを支持台１Ｄに突設し、断面が凹状の腕木１Ｃを延長台１Ｇに突設して実施した場合であっても効果は同じである。
【００２９】
更に、図４において、側板１Ｅの右側面の手前側の縁に係止具１ｈを設けた例を示したのは本発明を説明する為のもので例えば、側板１Ｅの右側面の奥側の縁に係止具１ｈを設ける。或いは側板１Ｅの右側面の手前側の縁と、奥側の縁の両方に係止具１ｈを設けても効果は同じである。
【００３０】
更に、図５において、机２の下部空間において右側板２Ａの上部に、機器載置部１の上部側面１Ｈに設けた係止具１ｈのシャフトが貫入可能なホールド孔２ｂを有する上部支持部材２Ｆを設け、上部支持部材２Ｆの上部に面する下板２Ｄに、ケーブル類を机の内部に導く為の導入孔２Ｈを穿孔したもので、更に、右側板２Ａの下部に、機器載置部１の下部側面１Ｊに設けた係止具１ｈのシャフトが貫入可能なホールド孔２ｂを有する下部支持部材２Ｊを設ける例を示したのは本発明を説明する為のもので、例えば、机２の下部空間において上部支持部材２Ｆ、および下部支持部材２Ｊを設けるのは右側板２Ａに限定するものではなく左側板２Ｂに設けてもよく、或いは、右側板２Ａと左側板２Ｂの両面に設けても効果は同じである。
【００３１】
更に、図６において、机２の下部空間において、機器載置部１の上下に設けた係止具１ｈのシャフトが机２の右側板２Ａに設けた上部支持部材２Ｆ、及び下部支持部材２Ｊに貫入した状態で、載置台１Ａに載置した電子機器１Ｋの後部に装着した転送ケーブルのプラグ１ｊの後端が、貫入部を回転軸として机の側板と平行の位置から略90度回転させて描く円弧の軌跡上で、略中間点の真上にあたる位置の下板２Ｄに転送ケーブル１ｊが挿通する長孔５Ｂを設ける例を示したのは本発明を説明する為のもので例えば、上部支持部材２Ｆ及び下部支持部材２Ｊを左側板２Ｂに設けて、載置台１Ａに載置した電子機器１Ｋの後部に装着した転送ケーブルのプラグ１ｊの後端が、貫入部を回転軸として机の側板と平行の位置から略90度回転させて描く円弧の軌跡上で、略中間点の真上にあたる位置の下板２Ｄに転送ケーブル１ｊが挿通する長孔５Ｂを設けても効果は同じである。
【図面の簡単な説明】
【００３２】
【図１】本発明の（実施例１）の構成を示す斜視図
【図２】本発明の（実施例１）にかかる載置台１Ａの斜視図である。
【図３】本発明の（実施例１）にかかる載置台１Ａの斜視図である。
【図４】本発明の（実施例１）にかかる機器載置部１の斜視図である。
【図５】本発明の（実施例１）にかかる机２の下部空間の斜視図である。
【図６】本発明の（実施例１）にかかる机２と機器載置台１Ａを連結した斜視図である。
【図７】本発明の（実施例１）にかかる机２に設けた挿通孔２ｒの斜視図である。
【図８】本発明の（実施例１）にかかる机２と移動天板２Ｌの斜視図である。
【符号の説明】
【００３３】
１機器載置部
１Ａ載置台
１Ｂキャスター
１Ｃ断面が凹状の２本の腕木
１Ｄ支持台
１Ｅ側板
１Ｆ断面が凸状の２本の腕木
１Ｇ延長台
１Ｈ上部側面
１Ｊ下部側面
１Ｋ電子機器
１Ｌボルト
１ａ凹状の腕木に設けた長孔
１ｂ腕木の凹部
１ｄ固定ナット
１ｅ腕木の凸部
１ｈ係止具
１ｊ転送ケーブルのプラグ
２机
２Ａ右側板
２Ｂ左側板
２Ｃ開口部の右側板および左側板
２Ｄ下板
２Ｅ壁板
２Ｆ上部支持部材
２Ｇ天板
２Ｈ導入孔
２Ｊ下部支持部材
２Ｋ収納スペース
２Ｌ移動天板
２ａスライドレール本体
２ｂホールド孔
２ｒ挿通孔
２ｄ開口部の右側板
２ｅ開口部の左側板
２ｆスライドレール可動部
５Ｂ長孔
【図１】
2006223500.tif 000003
【図２】
2006223500.tif 000004
【図３】
2006223500.tif 000005
【図４】
2006223500.tif 000006
【図５】
2006223500.tif 000007
【図６】
2006223500.tif 000008
【図７】
2006223500.tif 000009
【図８】
2006223500.tif 000010